(57)【要約】【課題】端縁近傍の部位の伸縮性を小さくする。【解決手段】吸収性物品１は、前方部と、股下部と、後方部とを備える。前方部は、着用者の腹側に位置する。後方部は、着用者の背側に位置する。股下部は、前方部および後方部から連続する。端部領域６１は、胴部開口の端縁であるエッジ１１１を含む領域である。端部領域６１は、エッジ１１１から延びる不織布シートである第１外装シート４１と、エッジ１１１から離間して配置されて第１外装シート４１に接合される伸縮性樹脂フィルムである上部弾性部材４４とを備える。これにより、胴部開口のエッジ１１１近傍の部位の伸縮性を、伸縮性樹脂フィルムを利用しつつ小さくすることができる。その結果、着用者の胴部に対する締め付けを軽減し、吸収性物品１の着用感を向上することができる。【選択図】図５
2019136432.tif 000002
【特許請求の範囲】
【請求項１】
使い捨て吸収性物品であって、
着用者の腹側に位置する前方部と、
着用者の背側に位置する後方部と、
前記前方部および前記後方部から連続する股下部と、
を備え、
前記前方部、前記後方部または前記股下部の端縁を含む端部領域が、
前記端縁から延びる不織布シートと、
前記端縁から離間して配置され、前記不織布シートに接合される伸縮性樹脂フィルムと、
を備えることを特徴とする使い捨て吸収性物品。
【請求項２】
請求項１に記載の使い捨て吸収性物品であって、
前記前方部の両側端と前記後方部の両側端とが接合されることにより、胴部開口および一対の脚部開口が形成され、
前記端縁が、前記胴部開口の端縁、または、前記一対の脚部開口の端縁であることを特徴とする使い捨て吸収性物品。
【請求項３】
請求項２に記載の使い捨て吸収性物品であって、
前記端縁が、前記胴部開口の端縁であり、
前記端部領域のうち前記伸縮性樹脂フィルムが設けられる領域が、前記胴部開口の前記端縁に平行な方向に伸縮可能であることを特徴とする使い捨て吸収性物品。
【請求項４】
請求項１に記載の使い捨て吸収性物品であって、
前記前方部の両端部と前記後方部の両端部とが接合されることにより、胴部開口、一対の脚部開口、および、前記胴部開口と前記一対の脚部開口との間にて上下方向に延びる一対の帯状接合部が形成され、
前記端縁が、前記一対の帯状接合部の端縁であることを特徴とする使い捨て吸収性物品。
【請求項５】
請求項１ないし４のいずれか１つに記載の使い捨て吸収性物品であって、
前記端部領域が、前記伸縮性樹脂フィルムを間に挟んで前記不織布シートに接合される他の不織布シートをさらに備えることを特徴とする使い捨て吸収性物品。  
【発明の詳細な説明】
【技術分野】
【０００１】
本発明は、使い捨て吸収性物品に関する。
【背景技術】
【０００２】
従来、着用者からの排泄物を受けるパンツタイプの使い捨ておむつ等では、外装体を構成する肌側シートと非肌側シートとの間に弾性部材が配置され、当該弾性部材が収縮することにより、肌側シートが着用者に密着する。
【０００３】
例えば、特許文献１の使い捨ておむつでは、上端部において複数の糸ゴムが肌側シートと非肌側シートとの間に設けられ、当該複数の糸ゴムよりも下側において、伸縮性不織布が肌側シートと非肌側シートとの間に設けられる。そして、複数の糸ゴムが収縮することにより、使い捨ておむつの上端部が着用者の胴周りに密着し、伸縮性不織布が収縮することにより、使い捨ておむつの上端部よりも下側の部位が、着用者の腹部および臀部に密着する。上述の伸縮性不織布は、熱可塑性エラストマー製繊維と、熱可塑性樹脂製繊維とを有する。当該伸縮性不織布は、所定方向に延伸処理を施されることにより伸縮性を発現する。
【０００４】
また、特許文献２の使い捨ておむつでは、図４に示されるように、外装体２０の第１シート層２０Ａと第２シート層２０Ｂとの間に、弾性フィルム３０が積層されている。弾性フィルム３０は、股下部を除いて外装体２０の長手方向の全長に亘って設けられている。換言すれば、弾性フィルム３０は、使い捨ておむつの胴部開口の端縁から股下部近傍まで長手方向に延在している。
【先行技術文献】
【特許文献】
【０００５】
【特許文献１】特開２０１７−１１８９７２号公報
【特許文献２】特開２０１７−１４８１６９号公報
【発明の概要】
【発明が解決しようとする課題】
【０００６】
ところで、特許文献１の使い捨ておむつでは、着用者の腰部に接触する部位に、糸ゴムおよび伸縮性不織布という複数種類の弾性部材が使用されているため、使い捨ておむつの製造が複雑化し、製造コストが増大するおそれがある。また、当該使い捨ておむつでは、上端部に設けられた複数の糸ゴムにより、胴部開口の端縁近傍の部位の伸縮性が大きくなる。このため、着用者の胴周りが締め付けられ、使い捨ておむつの着用感が低下するおそれがある。
【０００７】
特許文献２の使い捨ておむつでは、弾性フィルムが胴部開口の端縁まで延在しているため、上記と同様に、胴部開口の端縁近傍の部位の伸縮性が大きくなる。その結果、着用者の胴周りが締め付けられ、使い捨ておむつの着用感が低下するおそれがある。
【０００８】
本発明は、上記課題に鑑みなされたものであり、使い捨て吸収性物品において、端縁近傍の部位の伸縮性を小さくすることを目的としている。
【課題を解決するための手段】
【０００９】
請求項１に記載の発明は、使い捨て吸収性物品であって、着用者の腹側に位置する前方部と、着用者の背側に位置する後方部と、前記前方部および前記後方部から連続する股下部とを備え、前記前方部、前記後方部または前記股下部の端縁を含む端部領域が、前記端縁から延びる不織布シートと、前記端縁から離間して配置され、前記不織布シートに接合される伸縮性樹脂フィルムとを備える。
【００１０】
請求項２に記載の発明は、請求項１に記載の使い捨て吸収性物品であって、前記前方部の両側端と前記後方部の両側端とが接合されることにより、胴部開口および一対の脚部開口が形成され、前記端縁が、前記胴部開口の端縁、または、前記一対の脚部開口の端縁である。
【００１１】
請求項３に記載の発明は、請求項２に記載の使い捨て吸収性物品であって、前記端縁が、前記胴部開口の端縁であり、前記端部領域のうち前記伸縮性樹脂フィルムが設けられる領域が、前記胴部開口の前記端縁に平行な方向に伸縮可能である。
【００１２】
請求項４に記載の発明は、請求項１に記載の使い捨て吸収性物品であって、前記前方部の両端部と前記後方部の両端部とが接合されることにより、胴部開口、一対の脚部開口、および、前記胴部開口と前記一対の脚部開口との間にて上下方向に延びる一対の帯状接合部が形成され、前記端縁が、前記一対の帯状接合部の端縁である。
【００１３】
請求項５に記載の発明は、請求項１ないし４のいずれか１つに記載の使い捨て吸収性物品であって、前記端部領域が、前記伸縮性樹脂フィルムを間に挟んで前記不織布シートに接合される他の不織布シートをさらに備える。  
【発明の効果】
【００１４】
本発明では、端縁近傍の部位の伸縮性を小さくすることができる。
【図面の簡単な説明】
【００１５】
【図１】第１の実施の形態に係る吸収性物品の正面図である。
【図２】吸収性物品の背面図である。
【図３】展開した状態の吸収性物品の平面図である。
【図４】吸収性物品の断面図である。
【図５】吸収性物品の部分断面図である。
【図６】第２の実施の形態に係る吸収性物品の正面図である。
【図７】吸収性物品の背面図である。
【発明を実施するための形態】
【００１６】
図１および図２はそれぞれ、本発明の第１の実施の形態に係る使い捨て吸収性物品１の正面図および背面図（すなわち、着用者の腹側および背側に位置する部位の図）である。以下の説明では、使い捨て吸収性物品１を、単に「吸収性物品１」と呼ぶ。図１および図２に示すように、吸収性物品１は、上端（すなわち、図１および図２中の上側の端部）に胴部開口１１を有し、下部に一対の脚部開口１２を有するパンツタイプの使い捨ておむつである。吸収性物品１は、着用者からの排泄物を受ける。
【００１７】
図３は、吸収性物品１を展開した状態で着用者側から見た平面図である。吸収性物品１は、外装シート４と、吸収体２０とを備える。図３に示す例では、吸収体２０の平面視における形状は略矩形である。外装シート４には、胴部開口１１および一対の脚部開口１２（図１および図２参照）が設けられる。吸収体２０は、外装シート４の内面（すなわち、着用者側の面）上に取り付けられ、着用者からの排泄物を吸収する略シート状の部材である。
【００１８】
吸収性物品１では、図３中の上側の部位が着用者の前側（すなわち、腹側の肌）を覆い、図３中の下側の部位が着用者の後側（すなわち、背側の肌）を覆う。以下の説明では、吸収性物品１のうち、着用者の腹側および背側に位置する部位をそれぞれ、「前方部４０１」および「後方部４０３」と呼ぶ。また、吸収性物品１のうち、前方部４０１と後方部４０３との間の部位を「股下部４０２」と呼ぶ。股下部４０２は、前方部４０１および後方部４０３から連続する。股下部４０２は、着用者の股間部を覆う。吸収性物品１の前方部４０１、股下部４０２および後方部４０３は、外装シート４の前方部、股下部および後方部でもある。換言すれば、外装シート４は、前方部４０１、股下部４０２および後方部４０３を備える。吸収体２０は、外装シート４の前方部４０１から股下部４０２を経由して後方部４０３へと至る。
【００１９】
吸収性物品１が製造される際には、外装シート４が、吸収体２０と共に股下部４０２にて折り曲げられる。そして、股下部４０２を下側に向けた状態で、外装シート４の前方部４０１の左右方向の両端部の内面と、後方部４０３の左右方向の両端部の内面とが、加熱および押圧による熱融着等により接合される。これにより、図１および図２に示すように、前方部４０１および後方部４０３の上端に胴部開口１１が形成される。また、前方部４０１および後方部４０３の下側において、股下部４０２の左右に一対の脚部開口１２が形成される。さらに、胴部開口１１と一対の脚部開口１２とのそれぞれの間において上下方向に伸びる一対の帯状接合部１３が形成される。
【００２０】
各帯状接合部１３は、外装シート４の前方部４０１と後方部４０３とが接続される接続線から側方へと突出する帯状の突出部である。換言すれば、当該接続線は、帯状接合部１３の左右方向の内端縁である。以下の説明では、帯状接合部１３の当該内端縁を「内端縁１３２」と呼び、帯状接合部１３の内端縁１３２とは反対側の側縁を「外端縁１３１」と呼ぶ。帯状接合部１３の外端縁１３１と内端縁１３２とは、略平行である。
【００２１】
図４は、吸収性物品１を図３中に示すＩＶ−ＩＶの位置（すなわち、股下部４０２）で切断した断面図である。図４では、図示の都合上、吸収性物品１の各構成を離して描いている。後述する図５においても同様である。図３および図４に示すように、吸収体２０は、本体部２と、一対のサイドシート３とを備える。一対のサイドシート３は、本体部２の両側部上（すなわち、上下方向に垂直な左右方向の両側）に配置される。各サイドシート３は、本体部２の長手方向（すなわち、着用時における上下方向に平行な方向）のおよそ全長に亘る略シート状の部材である。
【００２２】
本体部２は、略シート状の部材であり、トップシート２１と、バックシート２３と、吸収コア２２とを備える。トップシート２１は、透液性のシート部材である。バックシート２３は、不透液性または撥液性のシート部材である。吸収コア２２は、トップシート２１とバックシート２３との間に配置される略シート状の部材である。トップシート２１は、吸収コア２２の着用者側の面を覆う。バックシート２３は、吸収コア２２の着用者とは反対側の面を覆う。
【００２３】
トップシート２１は、着用者からの排泄物の水分を捕捉し、当該水分を吸収コア２２へと移動させる。吸収コア２２は、トップシート２１を透過した水分（すなわち、着用者からの排泄物の水分）を吸収して固定する。バックシート２３は、バックシート２３に到達した排泄物の水分等が、本体部２の外部にしみ出すことを防止する。
【００２４】
図３では、図の理解を容易にするために、吸収体２０の吸収コア２２の輪郭を太破線にて描いている。図１および図２においても同様である。図３に示すように、吸収コア２２の長手方向の両端部における幅は、吸収コア２２の長手方向の中央部における幅よりも大きい。換言すれば、吸収コア２２は、いわゆる砂時計型である。図４に示すバックシート２３は、ホットメルト接着剤等により外装シート４上に接合される。これにより、吸収体２０が外装シート４に固定される。
【００２５】
一対のサイドシート３はそれぞれ、接合部３３と、側壁部３４とを備える。接合部３３は、サイドシート３のうち、長手方向の全長に亘って設けられた折り曲げ線３９の一方側の帯状の部位である。接合部３３は、本体部２の側方エッジ近傍において、長手方向のおよそ全長に亘って本体部２の上側（すなわち、着用者側）にホットメルト接着剤等を用いて接合される。側壁部３４は、サイドシート３のうち、折り曲げ線３９の他方側の帯状の部位である。側壁部３４は、折り曲げ線３９（すなわち、接合部３３の左右方向の外側のエッジ）にて一対の接合部３３から連続する部位である。側壁部３４は、本体部２の両側部上において、本体部２の長手方向のおよそ全長に亘って伸びる。
【００２６】
各側壁部３４は、長手方向における両端部において、接合部３３上に重ねられて接合部３３に固定される。側壁部３４と接合部３３との固定は、例えば、熱圧着接合、超音波接合、または、ホットメルト接着剤等による接着により行われる。各側壁部３４の長手方向の両端部を除く部位（すなわち、長手方向の中央部）は、接合部３３とは非接合であり、接合部３３から離間可能である。各側壁部３４の自由端には、側壁部弾性部材３５が接合されている。側壁部弾性部材３５が収縮することにより、側壁部３４の長手方向の中央部が起立し、立体ギャザーが形成される。これにより、一対の側壁部３４の間において吸収体２０により受けられた排泄物が、一対の側壁部３４よりも外側に漏出することを抑制することができる。
【００２７】
トップシート２１は、例えば、透液性の不織布（エアスルー不織布、ポイントボンド不織布、スパンボンド不織布またはスパンレース不織布等）により形成される。当該不織布は、例えば、表面を界面活性剤により親水処理された疎水性繊維（ポリプロピレン、ポリエチレン、ポリエステル、ポリアミド、ナイロン等）により形成される。当該不織布は、セルロース、レーヨンまたはコットン等の親水性繊維により形成されてもよい。
【００２８】
吸収コア２２は、例えば、粒状または繊維状の高吸収性材料、および、親水性繊維の集合体のうち、少なくとも一方を吸収材として含む。当該高吸収性材料としては、例えば、粒状の高吸収性ポリマー（ＳＡＰ（Super Absorbent Polymer））、または、繊維状の高吸収性ファイバー（ＳＡＦ（Super Absorbent Fiber））が利用される。当該親水性繊維の集合体は、例えば、粉砕されたパルプ繊維またはセルロース繊維により形成される。
【００２９】
図４に示す例では、吸収コア２２は、上述の親水性繊維の集合体に粒状のＳＡＰを混合したものを、ティッシュペーパーまたは透液性不織布等により包み込むことにより形成される。これにより、親水性繊維の集合体の型崩れ、および、ＳＡＰの脱落（特に、吸液後における脱落）を防止することができる。
【００３０】
バックシート２３は、例えば、疎水性繊維により形成された不透液性または撥液性の不織布（スパンボンド不織布、メルトブロー不織布もしくはＳＭＳ（スパンボンド・メルトブロー・スパンボンド）不織布等）により形成される。あるいは、バックシート２３は、不透液性または撥液性のプラスチックフィルムにより形成される。バックシート２３は、当該不織布と当該プラスチックフィルムとの積層体であってもよい。バックシート２３にプラスチックフィルムが利用される場合、吸収性物品１のムレを防止して着用者の快適性を向上するという観点からは、透湿性（すなわち、通気性）を有するプラスチックフィルムが利用されることが好ましい。
【００３１】
サイドシート３のシート本体は、疎水性繊維にて形成された不透液性または撥液性の不織布（例えば、スパンボンド不織布やメルトブロー不織布、ＳＭＳ不織布）により形成される。側壁部弾性部材３５としては、例えば、ポリウレタン糸、帯状のポリウレタンフィルム、または、糸状もしくは帯状の天然ゴム等が利用される。本実施の形態では、ポリウレタン糸が側壁部弾性部材３５として利用される。
【００３２】
図５は、吸収性物品１を図３中に示すＶ−Ｖの位置で切断した部分断面図である。図５では、吸収性物品１の前側を示す。吸収性物品１の後側の構造は、図５に示す前側の構造と略同様である。外装シート４は、外装シート本体４０と、脚部弾性部材４３と、上部弾性部材４４とを備える。脚部弾性部材４３および上部弾性部材４４は、外装シート本体４０に接合される。図１ないし図３では、図の理解を容易にするために、上部弾性部材４４に平行斜線を付す。
【００３３】
外装シート本体４０は、第１外装シート４１と、第２外装シート４２と、エンドシート５とを備える。第２外装シート４２は、第１外装シート４１の内面上（すなわち、着用者側）に積層され、ホットメルト接着剤による接着、または、熱エンボス加工による熱圧着接合等により第１外装シート４１に接合される。エンドシート５は、第２外装シート４２の内面に積層され、ホットメルト接着剤による接着、または、熱エンボス加工による熱圧着接合等により第２外装シート４２に接合される。エンドシート５の下端部と第２外装シート４２との間には、吸収体２０の上端部が挟まれる。吸収体２０の上端部は、ホットメルト接着剤等により第２外装シート４２およびエンドシート５に固定される。図５に示す例では、エンドシート５の上端縁は、第１外装シート４１の上端縁（すなわち、胴部開口１１のエッジ１１１）、および、第２外装シート４２の上端縁よりも下側に位置する。また、エンドシート５は、外装シート４の左右方向の略全長に亘って設けられる。
【００３４】
図５に示すように、第１外装シート４１は、胴部開口１１のエッジ１１１にて着用者側に折り返される折り返し部４６を備える。折り返し部４６の下端は、第２外装シート４２の上端縁、および、エンドシート５の上端縁よりも下側、かつ、吸収体２０の上端縁よりも上側に位置する。第２外装シート４２の上端部およびエンドシート５の上端部は、第１外装シート４１のうち、折り返し部４６に対向する部位である対向部４７と、折り返し部４６との間に挟まれる。折り返し部４６は、対抗部４７、エンドシート５の上端部、および、第２外装シート４２の上端部に、ホットメルト接着剤等により接合される。
【００３５】
外装シート本体４０の第１外装シート４１、第２外装シート４２およびエンドシート５は、バックシート２３と同様に、疎水性繊維により形成された不透液性または撥液性の不織布により形成される。あるいは、第１外装シート４１、第２外装シート４２およびエンドシート５は、不透液性もしくは撥液性のプラスチックフィルムにより形成される。第１外装シート４１、第２外装シート４２およびエンドシート５は、当該不織布と当該プラスチックフィルムとの積層体であってもよい。プラスチックフィルムとしては、透湿性を有するものが利用されることが好ましい。また、第１外装シート４１、第２外装シート４２およびエンドシート５として、トップシート２１と同様に、透液性の不織布が利用されてもよい。図５に示す例では、第１外装シート４１、第２外装シート４２およびエンドシート５はそれぞれ、不織布シートである。
【００３６】
図１および図２に示すように、脚部弾性部材４３は、一対の脚部開口１２のエッジ１２１に沿って配置される。脚部弾性部材４３は、例えば、ポリウレタン糸、帯状のポリウレタンフィルム、または、糸状もしくは帯状の天然ゴムである。図１および図２に示す例では、脚部弾性部材４３は、それぞれがポリウレタン糸である複数の脚部弾性要素４３１を備える。複数の脚部弾性要素４３１は、互いに略平行に配置される。
【００３７】
脚部弾性部材４３は、例えば、外装シート本体４０の第１外装シート４１と第２外装シート４２との間にホットメルト接着剤等により接合される。各脚部弾性部材４３の上端部は、外装シート４の前方部４０１および後方部４０３に位置する。また、各脚部弾性部材４３の上端部以外の部位は、外装シート４の股下部４０２に位置する。吸収性物品１では、脚部弾性部材４３が収縮することにより、一対の脚部開口１２近傍において外装シート本体４０が収縮し、着用者の脚周りに接するレッグギャザーが形成される。
【００３８】
上部弾性部材４４は、胴部開口１１の端縁であるエッジ１１１から下方に離間しつつ、エッジ１１１に沿って外装シート４の前方部４０１および後方部４０３に配置される。上部弾性部材４４は、樹脂（例えば、ポリプロピレンまたはポリウレタン）により形成された伸縮性を有するフィルム部材である。すなわち、上部弾性部材４４は、弾性伸縮可能な伸縮性樹脂フィルムである。上部弾性部材４４は、前方部４０１および後方部４０３の略全幅に亘って広がる略矩形状の部材である。上部弾性部材４４は、例えば、外装シート本体４０の第１外装シート４１と第２外装シート４２との間に接合される。換言すれば、第１外装シート４１は、上部弾性部材４４を間に挟んで第２外装シート４２に接合される。上部弾性部材４４と第１不織布シート６１および第２不織布シート６２との接合は、例えば、ホットメルト接着剤による接着、または、エンボス加工による熱圧着接合等により行われる。上部弾性部材４４は、エンドシート５と第２外装シート４２との間に接合されてもよい。
【００３９】
上部弾性部材４４の上端縁４４１は、胴部開口１１のエッジ１１１と略平行に左右方向に延びる。胴部開口１１のエッジ１１１と、上部弾性部材４４の上端縁４４１との間の上下方向の距離は、例えば、５ｍｍ以上かつ３０ｍｍ以下であり、好ましくは、１０ｍｍ以上かつ２５ｍｍ以下である。胴部開口１１のエッジ１１１と、上部弾性部材４４の上端縁４４１との間の領域は、上述の弾性部材（ポリウレタン糸や伸縮性樹脂フィルム等）が存在しない弾性部材非存在領域である。したがって、外装シート４において、胴部開口１１のエッジ１１１と上部弾性部材４４の上端縁４４１との間の領域の伸縮性は、上部弾性部材４４の上端縁４４１と下端縁４４２との領域の伸縮性よりも小さい。
【００４０】
図５に示す例では、上部弾性部材４４の上端縁４４１は、第２外装シート４２の上端縁と上下方向の略同じ位置に位置する。したがって、上部弾性部材４４の上端部は、第２外装シート４２の上端部と同様に、第１外装シート４１の折り返し部４６と対向部４７との間に挟まれる。吸収性物品１が製造される際には、伸長状態の上部弾性部材４４が予め接合された第２外装シート４２が、第１外装シート４１に接合される。
【００４１】
上部弾性部材４４の下端縁４４２は、上端縁４４１と略平行に左右方向に延びる。上部弾性部材４４の上端縁４４１と下端縁４４２との間の上下方向の距離は、例えば、２５ｍｍ以上かつ３００ｍｍ以下であり、好ましくは、５０ｍｍ以上かつ２５０ｍｍ以下である。図１および図２に示す例では、上部弾性部材４４の下端縁４４２は、前方部４０１および後方部４０３において、吸収体２０の上端縁よりも上側に位置する。換言すれば、図３に示すように、吸収性物品１を展開した状態において、上部弾性部材４４と吸収体２０とは重なっていない。
【００４２】
上部弾性部材４４の左右両側の側縁４４３は、一対の帯状接合部１３の外端縁１３１から内側（すなわち、吸収性物品１の左右方向の中央側）に離間しつつ、上下方向に沿って延びる。換言すれば、上部弾性部材４４は、一対の帯状接合部１３の外端縁１３１から内側に離間して配置される。例えば、上部弾性部材４４の左右両側の側縁４４３は、一対の帯状接合部１３の内端縁１３２と、左右方向の略同じ位置に位置する。好ましくは、上部弾性部材４４の左右両側の側縁４４３は、一対の帯状接合部１３の内端縁１３２と重なる。この場合、上部弾性部材４４は、一対の帯状接合部１３と重ならない。
【００４３】
吸収性物品１が製造される際には、上部弾性部材４４は左右方向に伸張された状態で、外装シート本体４０に接合される。したがって、吸収性物品１において、上部弾性部材４４は、左右方向（すなわち、胴部開口１１のエッジ１１１に平行な方向）に伸縮可能である。吸収性物品１では、上部弾性部材４４が左右方向に収縮することにより、胴部開口１１近傍において外装シート本体４０が左右方向に収縮し、着用者の胴回りに接するウエストギャザーが形成される。換言すれば、外装シート４のうち胴部開口１１のエッジ１１１近傍の領域において、上部弾性部材４４が設けられる領域が左右方向に伸縮し、ウエストギャザーが形成される。また、外装シート４のうち、上下方向に関してウエストギャザーが形成される領域と一対の脚部開口１２との間の領域も左右方向に収縮し、着用者の下腹部および臀部に接する中間ギャザー（すなわち、ボディフィットギャザー）が形成される。
【００４４】
以上に説明したように、吸収性物品１は、前方部４０１と、股下部４０２と、後方部４０３とを備える。前方部４０１は、着用者の腹側に位置する。後方部４０３は、着用者の背側に位置する。股下部４０２は、前方部４０１および後方部４０３から連続する。吸収性物品１において、胴部開口１１の端縁であるエッジ１１１を含む領域（すなわち、胴部開口１１近傍の領域）を「端部領域６１」と呼ぶと、端部領域６１は、エッジ１１１から延びる不織布シート（すなわち、第１外装シート４１）と、エッジ１１１から離間して配置されて第１外装シート４１に接合される伸縮性樹脂フィルム（すなわち、上部弾性部材４４）とを備える。これにより、胴部開口１１のエッジ１１１近傍の部位の伸縮性を、伸縮性樹脂フィルムを利用しつつ小さくすることができる。その結果、着用者の胴部に対する締め付けを軽減し、吸収性物品１の着用感を向上することができる。
【００４５】
また、吸収性物品１では、端部領域６１のうち上部弾性部材４４が設けられる領域が、胴部開口１１のエッジ１１１に平行な方向に伸縮可能である。上部弾性部材４４がエッジ１１１に平行な方向に収縮することにより、吸収性物品１の胴部開口１１近傍の部位を好適に着用者に密着させることができる。その結果、着用者の胴部に対する締め付けを軽減しつつ、吸収性物品１が下方にずり落ちることを抑制することができる。
【００４６】
上述のように、吸収性物品１では、前方部４０１の両端部と後方部４０３の両端部とが接合されることにより、胴部開口１１、一対の脚部開口１２、および、胴部開口１１と一対の脚部開口１２との間にて上下方向に延びる一対の帯状接合部１３が形成される。吸収性物品１において、各帯状接合部１３の端縁である外端縁１３１を含む領域（すなわち、各帯状接合部１３近傍の領域）を「端部領域６２」と呼ぶと、端部領域６２は、外端縁１３１から延びる不織布シート（すなわち、第１外装シート４１）と、外端縁１３１から離間して配置されて第１外装シート４１に接合される伸縮性樹脂フィルム（すなわち、上部弾性部材４４）とを備える。
【００４７】
これにより、帯状接合部１３の外端縁１３１近傍の部位の伸縮性を、伸縮性樹脂フィルムを利用しつつ小さくすることができる。その結果、帯状接合部１３の形成（すなわち、前方部４０１の両端部と後方部４０３の両端部との接合）を好適に行うことができ、帯状接合部１３の接合強度を増大することができる。帯状接合部１３の接合強度を増大させるという観点からは、上部弾性部材４４の左右両側の側縁４４３は、一対の帯状接合部１３の内端縁１３２と重なることが好ましい。
【００４８】
吸収性物品１では、端部領域６１は、伸縮性樹脂フィルムである上部弾性部材４４を間に挟んで第１外装シート４１に接合される他の不織布シート（すなわち、第２外装シート４２）をさらに備える。これにより、上部弾性部材４４が外装シート４の表面に露出することが防止される。その結果、外装シート４を形成する際に、伸張状態の上部弾性部材４４と第１外装シート４１および第２外装シート４２との接合を、上部弾性部材４４を損傷することなく好適に行うことができる。その結果、吸収性物品１の製造における歩留まりを向上することができる。端部領域６２においても同様である。
【００４９】
次に、本発明の第２の実施の形態に係る吸収性物品１ａについて説明する。吸収性物品１ａでは、上述の上部弾性部材４４に代えて、上部弾性部材４４とは形状が異なる上部弾性部材４４ａが外装シート４に設けられる。吸収性物品１ａの他の構造は、図１ないし図５に示す吸収性物品１と同様である。以下の説明では、吸収性物品１の構成に対応する吸収性物品１ａの各構成に同符号を付す。
【００５０】
上部弾性部材４４ａは、胴部開口１１のエッジ１１１近傍、一対の脚部開口１２のエッジ１２１近傍、一対の帯状接合部１３の外端縁１３１近傍、および、吸収体２０と重なる領域を除き、外装シート本体４０の略全面に亘って設けられる。上部弾性部材４４ａは、上部弾性部材４４と同様に、外装シート本体４０の第１外装シート４１と第２外装シート４２（図５参照）との間に配置され、第１外装シート４１および第２外装シート４２に接合される。
【００５１】
上部弾性部材４４ａの脚部開口１２近傍の端縁（以下、「脚部端縁４４４」と呼ぶ。）は、脚部開口１２のエッジ１２１と略平行に延びる。各脚部開口１２のエッジ１２１と、上部弾性部材４４ａの脚部端縁４４４との間の距離は、エッジ１２１に垂直な方向において、例えば、１０ｍｍ以上かつ５０ｍｍ以下であり、好ましくは、１５ｍｍ以上かつ４０ｍｍ以下である。各脚部開口１２のエッジ１２１と、上部弾性部材４４ａの脚部端縁４４４との間の領域は、上述の弾性部材（ポリウレタン糸や伸縮性樹脂フィルム等）が存在しない弾性部材非存在領域である。したがって、外装シート４において、各脚部開口１２のエッジ１２１と上部弾性部材４４ａの脚部端縁４４４との間の領域の伸縮性は、上部弾性部材４４ａの一対の脚部端縁４４４の間の領域の伸縮性よりも小さい。
【００５２】
吸収性物品１ａにおいて、各脚部開口１２の端縁であるエッジ１２１を含む領域（すなわち、各脚部開口１２近傍の領域）を「端部領域６３」と呼ぶと、端部領域６３は、エッジ１２１から延びる不織布シート（すなわち、第１外装シート４１）と、エッジ１２１から離間して配置されたて第１外装シート４１に接合される伸縮性樹脂フィルム（すなわち、上部弾性部材４４ａ）とを備える。これにより、一対の脚部開口１２のエッジ１２１近傍の部位の伸縮性を、伸縮性樹脂フィルムを利用しつつ小さくすることができる。その結果、着用者の脚の付け根に対する締め付けを軽減し、吸収性物品１ａの着用感を向上することができる。
【００５３】
吸収性物品１ａでは、上述の端部領域６１、端部領域６２および端部領域６３のうち、少なくとも１つの端部領域が、端縁から延びる不織布シートと、当該端縁から離間して配置されて当該不織布シートに接合される伸縮性樹脂フィルムとを備えていればよい。吸収性物品１においても同様である。
【００５４】
また、吸収性物品１ａでは、端部領域６１、端部領域６２および端部領域６３以外にも、前方部４０１、股下部４０２または後方部４０３の端縁（例えば、図３に示すサイドシート３の自由端縁）を含む端部領域が設けられてもよい。当該端部領域は、上記端縁から延びる不織布シートと、当該端縁から離間して配置されて当該不織布シートに接合される伸縮性樹脂フィルムとを備える。これにより、当該端縁近傍の部位の伸縮性を、伸縮性樹脂フィルムを利用しつつ小さくすることができる。吸収性物品１においても同様である。
【００５５】
吸収性物品１，１ａでは、上述のように、前方部４０１の両端部と後方部４０３の両端部とが接合されることにより、胴部開口１１および一対の脚部開口１２が形成され、上記端部領域に含まれる端縁が、胴部開口１１の端縁であるエッジ１１１、または、一対の脚部開口１２の端縁であるエッジ１２１である。これにより、胴部開口１１近傍の部位、または、一対の脚部開口１２近傍の部位の伸縮性を、伸縮性樹脂フィルムを利用しつつ小さくすることができる。その結果、上述のように、吸収性物品１，１ａの着用感を向上することができる。
【００５６】
上述の吸収性物品１，１ａでは、様々な変更が可能である。
【００５７】
例えば、上部弾性部材４４，４４ａは、上記端部領域の端縁から延びる不織布シートに接合されていればよく、必ずしも、当該不織布シートと他の不織布シートとの間に挟まれる必要はない。例えば、吸収性物品１，１ａでは、上部弾性部材４４，４４ａの一部または全体が、第２外装シート４２と重なっておらず、第２外装シート４２から露出していてもよい。
【００５８】
端部領域６１では、上部弾性部材４４は、胴部開口１１のエッジ１１１から下方に離間した位置から下側においてのみ第１外装シート４１に接合されているのであれば、上部弾性部材４４のうち第１外装シート４１に接合されていない非接合部（すなわち、上部弾性部材４４の上端部）は、胴部開口１１のエッジ１１１まで延在していてもよい。この場合、上部弾性部材４４の当該非接合部は、外装シート本体４０に収縮力を与えないため、上記と同様に、胴部開口１１のエッジ１１１近傍の部位の伸縮性を、伸縮性樹脂フィルムを利用しつつ小さくすることができる。端部領域６２，６３および他の端部領域についても同様である。
【００５９】
吸収性物品１，１ａの平面視における形状は、必ずしも砂時計型には限定されず、様々に変更されてよい。例えば、吸収性物品１，１ａの平面視における形状は、略矩形または略長円形であってもよい。吸収体２０の平面視における形状は、必ずしも矩形には限定されず、様々に変更されてよい。例えば、吸収体２０の平面視における形状は、砂時計型または略長円形であってもよい。
【００６０】
上述の吸収性物品１，１ａの構造は、パンツタイプの使い捨ておむつ以外の吸収性物品に適用されてもよい。例えば、吸収性物品１，１ａの上記構造は、テープタイプの使い捨ておむつ、または、尿パッド等の補助吸収具に適用されてもよい。
【００６１】
上記実施の形態および各変形例における構成は、相互に矛盾しない限り適宜組み合わされてよい。
【符号の説明】
【００６２】
１，１ａ    吸収性物品
１１    胴部開口
１２    脚部開口
１３    帯状接合部
４１    第１外装シート
４２    第２外装シート
４４，４４ａ    上部弾性部材
６１，６２，６３    端部領域
１１１    （胴部開口の）エッジ
１２１    （脚部開口の）エッジ
１３１    （帯状接合部の）外端縁
４０１    前方部
４０２    股下部
４０３    後方部
【図１】
2019136432.tif 000003
【図２】
2019136432.tif 000004
【図３】
2019136432.tif 000005
【図４】
2019136432.tif 000006
【図５】
2019136432.tif 000007
【図６】
2019136432.tif 000008
【図７】
2019136432.tif 000009